(57)【要約】【課題】ユーザーにより選択された静止画像の一部分に不良な箇所がある場合でも、その不良部分を修正して良好な静止画像を印刷することが可能な、プリンタ複合機を提供すること。【解決手段】印刷ヘッドは、時系列的に並ぶ複数の静止画データに対応する複数のサムネイル画像３０を印刷用紙Ｐ１に印刷する。そして、基本画像選択マーク３１と修正位置マーク３２が付された状態で印刷用紙Ｐ１がスキャナにより読み取られると、基本画像抽出部により、基本画像選択マーク３１に対応する基本画像データが抽出される。また、修正データ抽出部により修正画像データが抽出され、さらに、この修正画像データから修正位置マーク３２に対応する修正データが切り出される。そして、画像合成部により基本画像データと修正データが合成され、印刷ヘッドが、合成画像データの画像を印刷用紙Ｐ２に印刷する。【選択図】図６
2008236456.tif 000002
【特許請求の範囲】
【請求項１】
印刷媒体に画像を印刷する印刷手段と、印刷媒体に印刷された画像を読み取る画像読取手段とを備えたプリンタ複合機であって、
時系列的に並べられた複数の静止画データを記憶する記憶手段を有し、
前記印刷手段は、前記記憶手段に記憶されている前記複数の静止画データに対応する複数のサムネイル画像を、第１の印刷媒体に印刷可能に構成されており、
さらに、前記第１の印刷媒体の前記複数のサムネイル画像の１つに対して所定の基本画像選択マークが付されるとともに、少なくとも１つのサムネイル画像の一部領域に対して所定の修正位置マークが付された状態で、前記第１の印刷媒体が前記画像読取手段により読み取られたときに、
前記記憶手段に記憶された前記複数の静止画データから、前記基本画像選択マークが付されたサムネイル画像に対応する静止画データである、基本画像データを抽出する基本画像抽出手段、及び、
前記記憶手段に記憶された前記複数の静止画データから少なくとも１つの修正画像データを抽出するとともに、前記修正画像データの、前記修正位置マークが付された前記一部領域に対応するデータを、前記基本画像データを一部修正するための修正データとして切り出す修正データ抽出手段を有する、画像データ抽出手段と、
前記基本画像抽出手段により抽出された前記基本画像データと、前記修正データ抽出手段により抽出された前記修正データとを合成して合成画像データを生成する画像合成手段とを備え、
前記印刷手段は、前記画像合成手段により生成された合成画像データの画像を第２の印刷媒体に印刷することを特徴とするプリンタ複合機。
【請求項２】
前記基本画像選択マークと前記修正位置マークとが、異なるサムネイル画像に対してそれぞれ付されている場合に、前記修正データ抽出手段は、前記修正位置マークが付されているサムネイル画像に対応する前記静止画データを、前記修正画像データとして抽出することを特徴とする請求項１に記載のプリンタ複合機。
【請求項３】
前記基本画像選択マークと前記修正位置マークとが、同じサムネイル画像に対して付されている場合に、前記修正データ抽出手段は、前記修正位置マークが付されているサムネイル画像に対応する静止画データとは別の静止画データを、前記修正画像データとして抽出することを特徴とする請求項１に記載のプリンタ複合機。
【請求項４】
前記修正位置マークが前記サムネイル画像上に付されている場合に、前記修正データ抽出手段は、前記修正画像データのうちの、前記サムネイル画像上の修正位置マークを含む領域に対応するデータを、前記修正データとして切り出すことを特徴とする請求項１〜３の何れかに記載のプリンタ複合機。
【請求項５】
前記修正位置マークが、前記サムネイル画像の一部分を囲むように付されている場合に、前記修正データ抽出手段は、前記修正画像データのうちの、前記サムネイル画像の修正位置マークで囲まれた領域に対応するデータを、前記修正データとして切り出すことを特徴とする請求項４に記載のプリンタ複合機。
【請求項６】
前記印刷手段は、前記第１の印刷媒体に、前記複数のサムネイル画像とともに、各サムネイル画像を複数のブロック領域に区画する区画線を印刷し、
前記修正データ抽出手段は、前記修正画像データのうちの、前記サムネイル画像の前記修正位置マークを含む前記ブロック領域に対応するデータを、前記修正データとして切り出すことを特徴とする請求項４に記載のプリンタ複合機。
【請求項７】
前記修正データ抽出手段は、前記記憶手段に記憶されている複数の静止画データから、２以上の前記修正画像データを抽出するとともに、これら２以上の修正画像データから、前記一部領域にそれぞれ対応する２以上の前記修正データを切り出し、
前記画像合成手段は、前記基本画像データと前記２以上の修正データとをそれぞれ合成して、２以上の印刷候補データを生成し、
前記印刷手段は、第３の印刷媒体に、前記２以上の印刷候補データにそれぞれ対応する２以上の印刷候補サムネイル画像を印刷可能に構成されており、
さらに、前記第３の印刷媒体に、前記２以上の印刷候補サムネイル画像の何れか１つに対して所定の印刷選択マークが付された状態で、前記画像読取手段により前記第３の印刷媒体が読み取られたときに、前記印刷選択マークに対応する前記印刷候補データを識別する印刷画像識別手段を備え、
前記印刷手段は、前記印刷画像識別手段により識別された前記印刷候補データの画像を、前記第２の印刷媒体に印刷することを特徴とする請求項１〜６の何れかに記載のプリンタ複合機。
【請求項８】
前記印刷手段は、前記動画データを識別するための動画識別マークを前記複数のサムネイル画像とともに前記第１の印刷媒体に印刷し、
前記画像データ抽出手段は、前記第１の印刷媒体に印刷された前記動画識別マークから、前記基本画像データと前記修正画像データを抽出すべき前記動画データを認識することを特徴とする請求項１〜７の何れかに記載のプリンタ複合機。
【請求項９】
前記複数の静止画データは複数のグループに区分されており、
前記印刷手段は、前記複数のグループの各々に対応するグループ識別マークを、そのグループに属する前記静止画データのサムネイル画像とともに、１枚の前記第１の印刷媒体に一緒に印刷し、
前記画像データ抽出手段は、前記第１の印刷媒体に印刷された前記グループ識別マークから、前記基本画像データと前記修正画像データを抽出すべき前記グループを認識することを特徴とする請求項１〜８の何れかに記載のプリンタ複合機。
【請求項１０】
印刷媒体に画像を印刷する印刷手段、及び、印刷媒体に印刷された画像を読み取る画像読取手段を備えたプリンタ複合機と、このプリンタ複合機を制御する制御手段と、を有するプリントシステムであって、
時系列的に並べられた複数の静止画データを記憶する記憶手段を有し、
前記印刷手段は、前記記憶手段に記憶されている前記複数の静止画データに対応する複数のサムネイル画像を、第１の印刷媒体に印刷可能に構成されており、
さらに、前記第１の印刷媒体の前記複数のサムネイル画像の１つに対して所定の基本画像選択マークが付されるとともに、少なくとも１つのサムネイル画像の一部領域に対して所定の修正位置マークが付された状態で、前記第１の印刷媒体が前記画像読取手段により読み取られたときに、
前記記憶手段に記憶された前記複数の静止画データから、前記基本画像選択マークが付されたサムネイル画像に対応する静止画データである、基本画像データを抽出する基本画像抽出手段、及び、
前記記憶手段に記憶された前記複数の静止画データから少なくとも１つの修正画像データを抽出するとともに、前記修正画像データの、前記修正位置マークが付された前記一部領域に対応するデータを、前記基本画像データを一部修正するための修正データとして切り出す修正データ抽出手段を有する、画像データ抽出手段と、
前記基本画像抽出手段により抽出された前記基本画像データと、前記修正データ抽出手段により抽出された前記修正データとを合成して合成画像データを生成する画像合成手段とを備え、
前記印刷手段は、前記画像合成手段により生成された合成画像データの画像を第２の印刷媒体に印刷することを特徴とするプリントシステム。
【請求項１１】
印刷媒体に画像を印刷する印刷手段と、印刷媒体に印刷された画像を読み取る画像読取手段とを備えたプリンタ複合機に用いられる、静止画像印刷プログラムであって、
前記印刷手段により、記憶手段に記憶されている、時系列的に並べられた複数の静止画データに対応する複数のサムネイル画像を、第１の印刷媒体に印刷する第１印刷ステップと、
前記第１の印刷媒体の前記複数のサムネイル画像の１つに対して所定の基本画像選択マークが付されるとともに、少なくとも１つのサムネイル画像の一部領域に対して所定の修正位置マークが付された状態で、前記第１の印刷媒体が前記画像読取手段により読み取られたときに、
前記記憶手段に記憶された前記複数の静止画データから、前記基本画像選択マークが付されたサムネイル画像に対応する静止画データである、基本画像データを抽出する基本画像抽出ステップ、及び、
前記記憶手段に記憶された前記複数の静止画データから少なくとも１つの修正画像データを抽出するとともに、前記修正画像データの、前記修正位置マークが付された前記一部領域に対応するデータを、前記基本画像データを一部修正するための修正データとして切り出す修正データ抽出ステップを含む、画像データ抽出ステップと、
前記基本画像抽出ステップにおいて抽出された前記基本画像データと、前記修正データ抽出ステップにおいて抽出された前記修正データとを合成して合成画像データを生成する画像合成ステップと、
前記印刷手段により、前記画像合成ステップにおいて生成された合成画像データの画像を第２の印刷媒体に印刷する第２印刷ステップと、
をコンピュータに実行させる静止画像印刷プログラム。
【請求項１２】
前記基本画像選択マークと前記修正位置マークとが、異なるサムネイル画像に対してそれぞれ付されている場合に、前記修正データ抽出ステップにおいて、前記修正位置マークが付されているサムネイル画像に対応する前記静止画データを、前記修正画像データとして抽出することを特徴とする請求項１１に記載の静止画像印刷プログラム。
【請求項１３】
前記基本画像選択マークと前記修正位置マークとが、同じサムネイル画像に対して付されている場合に、前記修正データ抽出ステップにおいて、前記修正位置マークが付されているサムネイル画像に対応する静止画データとは別の静止画データを、前記修正画像データとして抽出することを特徴とする請求項１１に記載の静止画像印刷プログラム。
【請求項１４】
前記修正位置マークが前記サムネイル画像上に付されている場合に、前記修正データ抽出ステップにおいて、前記修正画像データのうちの、前記サムネイル画像上の修正位置マークを含む領域に対応するデータを、前記修正データとして切り出すことを特徴とする請求項１１〜１３の何れかに記載の静止画像印刷プログラム。
【請求項１５】
前記修正位置マークが、前記サムネイル画像の一部分を囲むように付されている場合に、前記修正データ抽出ステップにおいて、前記修正画像データのうちの、前記サムネイル画像の修正位置マークで囲まれた領域に対応するデータを、前記修正データとして切り出すことを特徴とする請求項１４に記載の静止画像印刷プログラム。
【請求項１６】
前記第１印刷ステップにおいて、前記印刷手段により、前記第１の印刷媒体に、前記複数のサムネイル画像とともに、各サムネイル画像を複数のブロック領域に区画する区画線を印刷し、
前記修正データ抽出ステップにおいて、前記修正画像データのうちの、前記サムネイル画像の前記修正位置マークを含む前記ブロック領域に対応するデータを、前記修正データとして切り出すことを特徴とする請求項１４に記載の静止画像印刷プログラム。
【請求項１７】
前記修正データ抽出ステップにおいて、前記記憶手段に記憶されている複数の静止画データから、２以上の前記修正画像データを抽出するとともに、これら２以上の修正画像データから、前記一部領域にそれぞれ対応する２以上の前記修正データを切り出し、
前記画像合成ステップにおいて、前記基本画像データと前記２以上の修正データとをそれぞれ合成して、２以上の印刷候補データを生成し、
さらに、前記印刷手段により、第３の印刷媒体に、前記２以上の印刷候補データにそれぞれ対応する２以上の印刷候補サムネイル画像を印刷する第３印刷ステップと、
前記第３の印刷媒体に、前記２以上の印刷候補サムネイル画像の何れか１つに対して所定の印刷選択マークが付された状態で、前記画像読取手段により前記第３の印刷媒体が読み取られたときに、前記印刷選択マークに対応する前記印刷候補データを識別する印刷画像識別ステップと、をコンピュータに実行させ、
前記第２印刷ステップにおいて、前記印刷手段により、前記印刷画像識別ステップにおいて識別された前記印刷候補データの画像を、前記第２の印刷媒体に印刷することを特徴とする請求項１１〜１６の何れかに記載の静止画像印刷プログラム。
【請求項１８】
前記第１印刷ステップにおいて、前記印刷手段により、前記動画データを識別するための動画識別マークを前記複数のサムネイル画像とともに前記第１の印刷媒体に印刷し、
前記画像データ抽出ステップにおいて、前記第１の印刷媒体に印刷された前記動画識別マークから、前記基本画像データ及び前記修正画像データを抽出すべき前記動画データを認識することを特徴とする請求項１１〜１７の何れかに記載の静止画像印刷プログラム。
【請求項１９】
前記複数の静止画データは複数のグループに区分されているものであり、
前記第１印刷ステップにおいて、前記印刷手段により、前記複数のグループの各々に対応するグループ識別マークを、そのグループに属する前記静止画データのサムネイル画像とともに、１枚の前記第１の印刷媒体に一緒に印刷し、
前記画像データ抽出ステップにおいて、前記第１の印刷媒体に印刷された前記グループ識別マークから、前記基本画像データ及び前記修正画像データを抽出すべき前記グループを認識することを特徴とする請求項１１〜１８の何れかに記載の静止画像印刷プログラム。
【発明の詳細な説明】
【技術分野】
【０００１】
本発明は、プリンタ複合機、プリンタ複合機を有するプリントシステム、及び、プリンタ複合機に用いられる静止画像印刷プログラムに関する。
【背景技術】
【０００２】
従来から、時系列に並べられた複数の静止画データからなる動画データから、所望のシーンの静止画データを抽出し、その静止画データの画像（静止画像）を印刷媒体に印刷する技術が知られている（例えば、特許文献１参照）。この特許文献１に記載の画像出力装置は、動画データ中の複数の静止画データ（フレーム）を一時的に保持しており、ユーザーのリモコン操作によって静止画像の印刷指示が入力されたときには、その印刷指示が入力された時刻付近にある複数（例えば、２つ）の静止画像を画面に表示する。さらに、これら複数の表示画像のうちから、ユーザーのリモコン操作によって印刷を行う画像が特定されると、その特定された画像のデータを画像形成装置（カラープリンタ等）に出力する。
【０００３】
【特許文献１】特開２００３−２６４６６０号公報
【発明の開示】
【発明が解決しようとする課題】
【０００４】
しかし、特許文献１の装置では、ユーザーに選択された静止画像において、その瞬間に写っている人が目を閉じているなど、静止画像のほんの一部に不良部分（ユーザーが気に入らない点）があると、それ以外の点では良好であったとしても、全体としては良好な画像とはならず、ユーザーが気に入るような静止画像を印刷することができないという問題があった。
【０００５】
本発明の目的は、ユーザーにより選択された静止画像の一部分に不良な箇所がある場合でも、その不良部分を修正して良好な静止画像を印刷することが可能な、プリンタ複合機を提供することである。
【課題を解決するための手段】
【０００６】
第１の発明のプリンタ複合機は、印刷媒体に画像を印刷する印刷手段と、印刷媒体に印刷された画像を読み取る画像読取手段とを備えたプリンタ複合機であって、
時系列的に並べられた複数の静止画データを記憶する記憶手段を有し、前記印刷手段は、前記記憶手段に記憶されている前記複数の静止画データに対応する複数のサムネイル画像を、第１の印刷媒体に印刷可能に構成されており、
さらに、前記第１の印刷媒体の前記複数のサムネイル画像の１つに対して所定の基本画像選択マークが付されるとともに、少なくとも１つのサムネイル画像の一部領域に対して所定の修正位置マークが付された状態で、前記第１の印刷媒体が前記画像読取手段により読み取られたときに、
前記記憶手段に記憶された前記複数の静止画データから、前記基本画像選択マークが付されたサムネイル画像に対応する静止画データである、基本画像データを抽出する基本画像抽出手段、及び、前記記憶手段に記憶された前記複数の静止画データから少なくとも１つの修正画像データを抽出するとともに、前記修正画像データの、前記修正位置マークが付された前記一部領域に対応するデータを、前記基本画像データを一部修正するための修正データとして切り出す修正データ抽出手段を有する、画像データ抽出手段と、
前記基本画像抽出手段により抽出された前記基本画像データと、前記修正データ抽出手段により抽出された前記修正データとを合成して合成画像データを生成する画像合成手段とを備え、
前記印刷手段は、前記画像合成手段により生成された合成画像データの画像を第２の印刷媒体に印刷することを特徴とするものである。
【０００７】
本発明のプリンタ複合機によれば、まず、印刷手段は、記憶手段に記憶されている、時系列的に並べられた複数の静止画データのサムネイル画像を第１の印刷媒体に印刷する。その後、ユーザーにより、第１の印刷媒体の複数のサムネイル画像の１つに基本画像を選択するための基本画像選択マークが付されるとともに、少なくとも１つのサムネイル画像の一部の領域に対して、修正位置を示すための修正位置マークが付される。
【０００８】
尚、修正位置マークは、基本画像選択マークにより選択された基本画像の、どの領域を修正するのかを示すためのマークであることから、この修正位置マークは、第１の印刷媒体に印刷された複数のサムネイル画像のうち、どのサムネイル画像に付されてもよい。即ち、修正位置マークが付されるサムネイル画像は、基本画像選択マークが付されるサムネイル画像と異なってもよいし、同じであってもよい。また、サムネイル画像上に修正位置マークが直接付される必要は必ずしもなく、修正位置マークが付された位置と、サムネイル画像のある領域との対応付けができていれば、修正位置マークがサムネイル画像と離れた位置に付されてもよい。
【０００９】
そして、基本画像選択マークと修正位置マークが付された第１の印刷媒体が画像読取手段により読み取られると、まず、基本画像抽出手段により、記憶手段に記憶された複数の静止画データから、基本画像選択マークが付されたサムネイル画像に対応する基本画像データが抽出される。また、修正データ抽出手段により、複数の静止画データから、ユーザーにより指示された、あるいは、基本画像データに応じて自動的に設定された、基本画像を修正するための修正画像データが抽出され、さらに、この修正画像データの、修正位置マークに対応するデータが修正データとして抽出される。そして、画像合成手段により、基本画像データと修正データとが合成されることにより合成画像データが生成され、この合成画像データの画像が第２の印刷媒体に出力される。
【００１０】
これにより、ユーザーが印刷したい画像である基本画像の一部に不良部分（ユーザーが気に入らない部分）がある場合などに、その一部を、基本画像データとは別の修正画像データから抽出された修正データによって置き換えることができ、不良部分のない良好な画像を印刷することが可能となる。
【００１１】
また、ユーザーが、第１の印刷媒体に印刷された、複数の静止画データのサムネイル画像の一覧表示を見て、この第１の印刷媒体に基本画像選択マークと修正位置マークとを付し、この印刷媒体を画像読取手段に読み取らせるだけで、基本画像の一部が修正された合成画像が第２の印刷媒体に自動的に印刷される。従って、合成画像印刷のために、ユーザーが、通常の画像印刷時には行わない特殊な操作をする必要がないため、機器の操作が苦手なユーザーでも、動画中の所望のシーンの合成静止画像を手軽に印刷することができる。
【００１２】
第２の発明のプリンタ複合機は、前記第１の発明において、前記基本画像選択マークと前記修正位置マークとが異なるサムネイル画像に対してそれぞれ付されている場合に、前記修正データ抽出手段は、前記修正位置マークが付されているサムネイル画像に対応する前記静止画データを、前記修正画像データとして抽出することを特徴とするものである。
【００１３】
ユーザーにより、基本画像選択マークが付されたサムネイル画像とは異なる、別のサムネイル画像に修正位置マークが付されている場合には、修正データ抽出手段は、その修正位置マークに対応する静止画データを用いて基本画像データを修正するように指示されたと判断する。そして、修正位置マークが付されたサムネイル画像に対応する静止画データを修正画像データとして抽出し、この修正画像データの修正位置マークに対応するデータを修正データとして切り出す。従って、ユーザーは、基本画像を修正するのに用いる静止画データのサムネイル画像に、修正位置マークを直接付けるだけで、修正画像データ、及び、修正位置の指定を同時に行うことができる。
【００１４】
第３の発明のプリンタ複合機は、前記第１の発明において、前記基本画像選択マークと前記修正位置マークとが同じサムネイル画像に対して付されている場合に、前記修正データ抽出手段は、前記修正位置マークが付されているサムネイル画像に対応する静止画データとは別の静止画データを、前記修正画像データとして抽出することを特徴とするものである。
【００１５】
ユーザーにより、基本画像選択マークと修正位置マークが同じサムネイル画像に付されている場合には、修正データ抽出手段は、修正位置マークが、基本画像中の修正すべき領域の位置を単に示しているにすぎないと判断する。そして、２種類のマークが付されたサムネイル画像に対応する静止画データとは別の静止画データを修正画像データとして抽出し、この修正画像データの修正位置マークに対応するデータを修正データとして切り出す。
【００１６】
第４の発明のプリンタ複合機は、前記第１〜第３の何れかの発明において、前記修正位置マークが前記サムネイル画像上に付されている場合に、前記修正データ抽出手段は、前記修正画像データのうちの、前記サムネイル画像上の修正位置マークを含む領域に対応するデータを、前記修正データとして切り出すことを特徴とするものである。
【００１７】
この構成によれば、サムネイル画像の、修正位置マークが付されている領域に対応するデータを修正データとして切り出す。従って、ユーザーは、サムネイル画像上の、基本画像を修正したい領域に修正位置マークを直接付けることで、修正領域の指定を容易に行うことができる。
【００１８】
第５の発明のプリンタ複合機は、前記第４の発明において、前記修正位置マークが、前記サムネイル画像の一部分を囲むように付されている場合に、前記修正データ抽出手段は、前記修正画像データのうちの、前記サムネイル画像の修正位置マークで囲まれた領域に対応するデータを、前記修正データとして切り出すことを特徴とするものである。
【００１９】
このように、修正位置マークが、サムネイル画像の一部分を囲むように付されている場合には、修正データ抽出手段は、修正位置マークに囲まれている領域が修正すべき領域であると判断して、この領域のデータを修正データとして切り出す。この場合には、修正したい領域のみを囲むことによって、ユーザーが修正領域をより細かく指示することが可能となる。
【００２０】
第６の発明のプリンタ複合機は、前記第４の発明において、前記印刷手段は、前記第１の印刷媒体に、前記複数のサムネイル画像とともに、各サムネイル画像を複数のブロック領域に区画する区画線を印刷し、前記修正データ抽出手段は、前記修正画像データのうちの、前記サムネイル画像の前記修正位置マークを含む前記ブロック領域に対応するデータを、前記修正データとして切り出すことを特徴とするものである。
【００２１】
各サムネイル画像が区画線によって複数のブロック領域に区画されている場合には、修正データ抽出手段は、修正位置マークを含むブロック領域のデータを、修正データとして切り出す。この場合、修正位置マークはあるブロック領域を指示するように、そのブロック領域内に付されていればそれでよく、そのマーク形状は問わない。つまり、前述した第５の発明のように、サムネイル画像の一部領域を囲むような形状に形成される必要は特にない。
【００２２】
第７の発明のプリンタ複合機は、前記第１〜第６の何れかの発明において、前記修正データ抽出手段は、前記記憶手段に記憶されている複数の静止画データから、２以上の前記修正画像データを抽出するとともに、これら２以上の修正画像データから、前記一部領域にそれぞれ対応する２以上の前記修正データを切り出し、前記画像合成手段は、前記基本画像データと前記２以上の修正データとをそれぞれ合成して、２以上の印刷候補データを生成し、前記印刷手段は、第３の印刷媒体に、前記２以上の印刷候補データにそれぞれ対応する２以上の印刷候補サムネイル画像を印刷可能に構成されており、
さらに、前記第３の印刷媒体に、前記２以上の印刷候補サムネイル画像の何れか１つに対して所定の印刷選択マークが付された状態で、前記画像読取手段により前記第３の印刷媒体が読み取られたときに、前記印刷選択マークに対応する前記印刷候補データを識別する印刷画像識別手段を備え、前記印刷手段は、前記印刷画像識別手段により識別された前記印刷候補データの画像を、前記第２の印刷媒体に印刷することを特徴とするものである。
【００２３】
この構成によれば、１つの基本画像データに対して２以上の修正画像データが抽出されて、２以上の印刷候補データが生成され、これら２以上の印刷候補データのサムネイル画像が第３の印刷媒体に印刷される。そのため、これらの印刷候補画像のサムネイル画像から、ユーザーにより、最も気に入った１つのサムネイル画像が選択されることで、より良好な画像が第２の印刷媒体に印刷される。
【００２４】
第８の発明のプリンタ複合機は、前記第１〜第７の何れかの発明において、前記印刷手段は、前記動画データを識別するための動画識別マークを前記複数のサムネイル画像とともに前記第１の印刷媒体に印刷し、前記画像データ抽出手段は、前記第１の印刷媒体に印刷された前記動画識別マークから、前記基本画像データと前記修正画像データを抽出すべき前記動画データを認識することを特徴とするものである。
【００２５】
この構成によれば、基本画像選択マーク及び修正位置マークが付された第１の印刷媒体が画像読取手段で読み取られたときに、画像データ抽出手段が、第１の印刷媒体に印刷された動画識別マークから、基本画像データ及び修正画像データを抽出する動画データを認識するため、どの動画データから基本画像データ及び修正画像データを抽出するのかを、プリンタ複合機がユーザーに問い合わせる必要がない。
【００２６】
第９の発明のプリンタ複合機は、前記第１〜第８の何れかの発明において、前記複数の静止画データは複数のグループに区分されており、前記印刷手段は、前記複数のグループの各々に対応するグループ識別マークを、そのグループに属する前記静止画データのサムネイル画像とともに、１枚の前記第１の印刷媒体に一緒に印刷し、前記画像データ抽出手段は、前記第１の印刷媒体に印刷された前記グループ識別マークから、前記基本画像データと前記修正画像データを抽出すべき前記グループを認識することを特徴とするものである。
【００２７】
複数枚の第１の印刷媒体にわたってサムネイル画像が一覧表示される場合に、対応するサムネイル画像が何枚目の第１の印刷媒体に印刷されるかを定めるために、複数の静止画データは複数のグループに区分される。そして、１つのグループに属する静止画データのサムネイル画像が同じ第１の印刷媒体に印刷され、さらに、同じ第１の印刷媒体に、そのグループに対応するグループ識別マークが印刷される。そして、基本画像選択マーク及び修正位置マークが付された第１の印刷媒体が画像読取手段で読み取られたときに、画像データ抽出手段が、第１の印刷媒体に印刷されたグループ識別マークから、基本画像データ及び修正画像データを抽出すべきグループを認識する。従って、どのグループから基本画像データ及び修正画像データを抽出すればよいかを、プリンタ複合機がユーザーに問い合わせる必要がない。
【００２８】
第１０の発明のプリントシステムによれば、前記第１の発明と同様に、ユーザーが印刷したい画像である基本画像の一部に不良部分（ユーザーが気に入らない部分）がある場合などに、その一部を、基本画像データとは別の修正画像データから抽出された修正データによって置き換えることができ、良好な画像を印刷することが可能となる。
【００２９】
また、第１１〜第１９の発明の静止画像印刷プログラムによれば、前記第１〜第９の発明と同様の効果をそれぞれ得ることができる。
【発明の効果】
【００３０】
本発明によれば、ユーザーが印刷したい画像である基本画像の一部に不良部分（ユーザーが気に入らない部分）がある場合などに、その一部を、基本画像データとは別の修正画像データから抽出された修正データによって置き換えることができるため、不良部分のない良好な画像を印刷することが可能となる。また、合成画像印刷のために、ユーザーが、通常の画像印刷時には行わない特殊な操作をする必要がなく、機器の操作が苦手なユーザーでも、動画中の所望のシーンの合成静止画像を手軽に印刷することができる。
【発明を実施するための最良の形態】
【００３１】
＜第１実施形態＞
次に、本発明の第１実施形態について説明する。図１は第１実施形態のプリンタ複合機を概略的に示す外観図であり、図２はプリンタ複合機の電気的構成を概略的に示すブロック図である。
【００３２】
図１、図２に示すように、本実施形態のプリンタ複合機１は、印刷用紙Ｐ（印刷媒体）に画像を印刷する印刷ヘッド２（印刷手段）と、印刷用紙Ｐを所定方向（図１の前方）へ搬送する用紙搬送機構３と、印刷用紙Ｐに印刷された画像を読み取るスキャナ４（画像読取手段）と、印刷ヘッド２、用紙搬送機構３、スキャナ４等、プリンタ複合機１の各種機構をそれぞれ制御する制御装置５を備えている。
【００３３】
図１に示すように、プリンタ複合機１は、略直方体状のプリンタ本体６を有し、このプリンタ本体６内に、印刷ヘッド２と用紙搬送機構３等が収容されている。印刷ヘッド２としては、インクジェット方式や、レーザー方式、あるいは、熱転写方式等、公知の方式で印刷用紙Ｐに印刷を行うものが用いられる。また、用紙搬送機構３は、モータで回転駆動される搬送ローラによって印刷用紙Ｐを所定方向へ搬送するように構成されている。
【００３４】
スキャナ４は、プリンタ本体６の上部に設けられている。図１に示すように、このスキャナ４は、ガラス板からなる載置台（図示省略）と、この載置台の下側に配置された読取ユニット（図示省略）と、載置台の上面を覆うカバー７とを備えている。そして、スキャナ４は、載置台の上面に原稿が載置された後にカバー７が閉じられた状態で、読取ユニットにより原稿に印刷された画像を読み取るように構成されている。
【００３５】
プリンタ本体６の前部の上側部分には傾斜面６ａが形成され、この傾斜面６ａには、ユーザーにより操作される複数の操作ボタンからなる操作部８と、プリンタ複合機１の動作状態やエラーメッセージ等を表示するディスプレイ９が設けられている。また、プリンタ本体６の前面の右側部分には、メモリーカード等のデータ記録媒体１１が装着されるスロット１０が設けられている。そして、データ記録媒体１１に記録されている動画データや画像データ等のデータは、スロット１０で読み出されて制御装置５に入力される。
【００３６】
尚、以下では、説明の便宜上、データ記録媒体１１からスロット１０を介してプリンタ複合機１へ動画データ等の各種データが入力されるものとするが、プリンタ複合機１へのデータ入力はこのような構成に限られるものではない。例えば、プリンタ複合機１とデジタルビデオカメラがケーブルで接続され、このケーブルを介してプリンタ複合機１へデータが入力されてもよい。あるいは、ビデオ撮影機能付き携帯電話等から、赤外線等を利用した無線通信を介してプリンタ複合機１へデータが入力されてもよい。
【００３７】
次に、制御装置５を中心とするプリンタ複合機１の電気的構成について、図２を参照して説明する。
制御装置５は、中央演算処理装置であるＣＰＵ（Central Processing Unit）と、プリンタ複合機１の各種機構を制御するためのプログラムやデータ等が格納されたＲＯＭ（Read Only Memory）、ＣＰＵで処理されるデータを一時的に記憶するＲＡＭ（Random Access Memory）、外部装置との間の信号の入出力を行う入出力インターフェース等で構成されている。
【００３８】
図２に示すように、制御装置５は、印刷制御部２０と、スロット１０に装着されているデータ記録媒体１１から入力された画像データや動画データが記憶される記憶部２１とを有する。そして、ユーザーによる操作部８からの印刷指令が入力されたときには、記憶部２１に記憶されているデータに基づいて、印刷制御部２０が印刷ヘッド２と用紙搬送機構３をそれぞれ制御することにより、印刷用紙Ｐに所望の画像を印刷するように構成されている。また、制御装置５は、プリンタ複合機１の状態（印刷状態、または、待機状態）やエラーメッセージ等をディスプレイ９に表示させて、これらの情報をユーザーに通知する。
【００３９】
これに加えて、第１実施形態のプリンタ複合機１は、以下のような、従来の複合機にはない特有の構成を有する。まず、操作部８を介したユーザーからの要求に応じて、データ記録媒体１１から入力された動画データから複数の静止画データを抽出して、これら複数の静止画データのサムネイル画像３０（縮小画像）を印刷用紙Ｐ１に印刷する（サムネイル画像印刷処理：図５参照）。
【００４０】
さらに、ユーザーにより、サムネイル画像３０が印刷された印刷用紙Ｐ１（第１の印刷媒体）に、基本画像を選択する基本画像選択マーク３１と、その基本画像の一部の修正領域を指示する修正位置マーク３２とが付された状態で（図６参照）、この印刷用紙Ｐ１がスキャナ４により読み込まれたときには、基本画像選択マーク３１に対応する基本画像データと、この基本画像データとは別の静止画データ（修正画像データ）から修正位置マーク３２に対応して切り出された修正データとを合成する。そして、その合成画像３８（基本画像の一部を修正した画像）を別の印刷用紙Ｐ２（第２の印刷媒体）に印刷することが可能に構成されている（合成画像印刷処理：図７参照）。この特有の構成について、以下詳細に説明する。
【００４１】
図２に示すように、制御装置５は、入力された動画データから、時系列的に並べられた、一覧表示用（サムネイル表示用）の複数の静止画データを抽出する静止画データ抽出部２２を有する。また、制御装置５の記憶部２１は、データ記録媒体１１から入力された動画データを一時記憶する動画データ記憶部２３と、動画データから静止画データ抽出部２２により抽出された複数の静止画データを記憶する静止画データ記憶部２４（記憶手段）を有する。さらに、制御装置５は、ユーザーによって基本画像選択マーク３１と修正位置マーク３２とが付された印刷用紙Ｐ１がスキャナ４で読み取られたときに、基本画像選択マーク３１に対応する静止画データ（基本画像データ）を抽出する基本画像抽出部２６（基本画像抽出手段）と、修正位置マーク３２に対応する修正データを抽出する修正データ抽出部２７（修正データ抽出手段）とを含む、画像データ抽出部２５を備えている。さらに、制御装置５は、画像データ抽出部２５で抽出された基本画像データと修正データとを合成して合成画像データを生成する画像合成部２８（画像合成手段）とを備えている。
【００４２】
尚、前述した印刷制御部２０、記憶部２１、静止画データ抽出部２２、画像データ抽出部２５、及び、画像合成部２８は、制御装置５を構成しているＣＰＵ，ＲＯＭ，ＲＡＭ等により実現されている。言い換えれば、制御装置５のＲＯＭに、動画データ中から静止画データを抽出して印刷するための、静止画像印刷プログラムが格納されており、このＲＯＭに格納されたプログラムが、制御装置５のＣＰＵで実行されることで、印刷制御部２０、記憶部２１、静止画データ抽出部２２、画像データ抽出部２５、及び、画像合成部２８の、それぞれの機能が実現される。
【００４３】
次に、第１実施形態の制御装置５によって実現される、サムネイル画像印刷処理、及び、合成画像印刷処理を含む一連の静止画像印刷処理について、図３のフローチャートと、図４〜図８を参照して説明する。但し、図３において、Ｓｉ（ｉ＝１０，１１，１２・・・）は各ステップを示す。
【００４４】
（サムネイル画像印刷処理）
まず、データ記録媒体１１に記録されている所定の動画データについて、サムネイル画像印刷実行を要求する指令が、ユーザーにより操作部８から入力されると（Ｓ１０：Ｙｅｓ）、静止画データ抽出部２２は、その動画データから、時系列的に並べられた複数の静止画データを抽出する（Ｓ１１）。
【００４５】
より具体的には、まず、データ記録媒体１１がスロット１０に挿入されている状態で、サムネイル画像印刷の指令がユーザーから操作部８を介して入力されると、制御装置５は、データ記録媒体１１に格納されている動画データ（ファイル名）のリストをディスプレイ９に表示させる。そして、リスト中の１つの動画データがユーザーにより操作部８から選択されると、その選択された動画データがスロット１０により読み出され、動画データ記憶部２３に一時記憶される。
【００４６】
そして、図４に示すように、静止画データ抽出部２２は、動画データ記憶部２３に記憶された動画データ５０から、時系列的に並ぶ複数の静止画データ（フレーム）を等しい時間間隔Ｔで切り出す。即ち、動画データ５０中における時間（時刻）ｔがそれぞれ、０，Ｔ，２Ｔ，・・・，ｎＴ，（ｎ＋１）Ｔである、複数のフレーム（Ｆ０，Ｆ１，Ｆ２・・・Ｆｎ，Ｆ（ｎ＋１）・・・）をそれぞれ抽出する。また、抽出された複数の静止画データのそれぞれに対して、画像サイズを小さくした一覧表示用のサムネイル画像データを作成する。このようにして抽出された複数の静止画データ、及び、複数のサムネイル画像データは、静止画データを抽出した動画データと対応付けて静止画データ記憶部２４に記憶される。
【００４７】
尚、静止画データ抽出部２２が、動画データ５０から一覧表示用の複数の静止画データを抽出する時間間隔Ｔは、予め設定された固定値であってもよいし、ユーザーにより操作部８から任意に設定される値であってもよい。あるいは、データ抽出対象となる動画データの総時間に応じて、静止画データ抽出部２２が適切な時間間隔Ｔの値を設定してもよい。例えば、総時間の長い動画データから静止画データを抽出する場合には、時間間隔Ｔを大きくし、総時間の短い動画データから静止画データを抽出する場合には、時間間隔Ｔを小さく（細かく）する。
【００４８】
以上の処理が終了すると、印刷ヘッド２が、印刷制御部２０により制御されることによって、抽出された複数の静止画データにそれぞれ対応する複数のサムネイル画像３０を印刷用紙Ｐ１に印刷し、サムネイル画像３０を一覧表示する（Ｓ１２：第１印刷ステップ）。
【００４９】
図５は、複数のサムネイル画像３０の具体的な印刷例を示している。この図５においては、動画データから５秒の時間間隔（Ｔ＝５ｓ）で抽出された複数の静止画データのサムネイル画像３０のうち、１２枚のサムネイル画像３０が、１枚の印刷用紙Ｐ１に印刷されている。また、１２枚のサムネイル画像３０は、元となる静止画データの動画データ中における時間に応じて、印刷用紙Ｐ１の左上の位置から右下の位置まで、順番に印刷されている。
【００５０】
また、印刷ヘッド２は、印刷用紙Ｐ１の右上の位置に、静止画データが抽出された動画データを識別するための動画データＩＤ３３（“ＡＢＣ”：動画識別マーク）を印刷する。さらに、印刷ヘッド２は、各サムネイル画像３０のすぐ下の位置に、そのサムネイル画像３０に対応する静止画データの時間と、チェックボックス３４とを印刷する。
【００５１】
さらに、後述するように、ユーザーが基本画像の修正位置を指示しやすくなるように（修正位置マーク３２を付けやすくするように）、印刷ヘッド２は、各サムネイル画像３０を複数の長方形状のブロック領域３７に区画する複数の区画線３６を印刷する。
【００５２】
このように、印刷用紙Ｐ１にサムネイル画像３０が印刷された後、図６に示すように、ユーザーがペン等で手書きするなどして、任意のサムネイル画像３０（図６では、１４時間３０分３５秒の静止画データに対応するサムネイル画像３０）のチェックボックス３４に基本画像選択マーク３１が付される。さらに、このマーク３１が付されたサムネイル画像３０とは別のサムネイル画像３０（図６では、１４時間３０分４０秒）上の、任意のブロック領域３７（図６では、左上の４つのブロック領域３７）に、そのサムネイル画像３０の一部分を囲むように修正位置マーク３２が付される。
【００５３】
（合成画像印刷処理）
図３に戻って、サムネイル画像３０が印刷された印刷用紙Ｐ１が、ユーザーによる所定操作（蓋部７の開放、載置台への印刷用紙Ｐ１のセット、及び、読取開始指令の入力等）が行われることによって、スキャナ４で読み取られると（Ｓ１３：Ｙｅｓ）、画像データ抽出部２５は、スキャナ４で得られた画像データから、印刷用紙Ｐ１の右上の位置に印刷されている動画データＩＤ３３と、基本画像選択マーク３１、及び、修正位置マーク３２を検出する。
【００５４】
ここで、ユーザーのミスにより、基本画像選択マーク３１と修正位置マーク３２の少なくとも一方が付されずにスキャナ４の読み取りが行われてしまった場合や、チェックされたマーク３１，３２が薄くて読みとれない場合など、画像データ抽出部２５が基本画像選択マーク３１を検出することができなかった場合には（Ｓ１４：Ｎｏ）、制御装置５は、マーク３１，３２が付されていない旨をユーザーに対して通知するエラーメッセージを、ディスプレイ９に表示させる（Ｓ１６）。
【００５５】
尚、この第１実施形態では、図６に示すように、基本画像選択マーク３１はチェックボックス３４に付され、一方、修正位置マーク３２はサムネイル画像３０上に付されていることから、それらの位置情報から、画像データ抽出部２５は２種類のマーク３１，３２を区別して認識することが可能である。さらに、図６に示すように、２種類のマーク３１，３２の形状が互いに異なっていれば、画像データ抽出部２５は、２種類のマーク３１，３２を一層混同しにくくなる。
【００５６】
画像データ抽出部２５がマーク３１，３２の両方を検出した場合には（Ｓ１４：Ｙｅｓ）、まず、画像データ抽出部２５は、取得した動画データＩＤ３３から、静止画データを抽出すべき動画データを認識する。
【００５７】
次に、画像データ抽出部２５の基本画像抽出部２６は、基本画像選択マーク３１が付されたチェックボックス３４に対応するサムネイル画像３０を認識する。さらに、そのサムネイル画像３０に対応する静止画データ（基本画像データ）を、静止画データ記憶部２４に動画データと対応付けて記憶されている複数の静止画データの中から抽出する（Ｓ１６）。図６の場合には、１４時間３０分３５秒における静止画データを、基本画像データとして抽出する。
【００５８】
また、画像データ抽出部２５の修正データ抽出部２７は、修正位置マーク３２が付されたサムネイル画像３０を認識する。さらに、そのサムネイル画像３０に対応する、基本画像データを修正するための静止画データ（修正画像データ）を、静止画データ記憶部２４に動画データと対応付けて記憶されている複数の静止画データから抽出する（Ｓ１７）。図６の場合には、基本画像データのすぐ後（５秒後）の、１４時間３０分４０秒における静止画データを、修正画像データとして抽出する。
【００５９】
さらに、修正データ抽出部２７は、修正位置マーク３２が付されたサムネイル画像３０の、修正位置マーク３２に囲まれた一部分に対応するデータを、修正画像データから修正データとして切り出す（Ｓ１８）。図６の場合には、サムネイル画像３０の左上に付された、楕円形の修正位置マーク３２の内側領域に対応するデータを、このサムネイル画像３０に対応する修正画像データから抽出する。
【００６０】
次に、画像合成部２８は、基本画像抽出部２６により抽出された基本画像データと、修正データ抽出部２７により抽出された修正データとを合成して、合成画像データを生成する（Ｓ１９）。即ち、基本画像データのうち、修正位置マーク３２によって囲まれた領域に対応するデータが、この基本画像データとは異なる別の静止画データである、修正画像データから切り出された修正データに置き換えられる。
【００６１】
このように、画像合成部２８により合成画像データが生成されると、図７に示すように、印刷制御部２０により制御される印刷ヘッド２が、合成画像データの画像３８を、基本画像データの時間（１４時間３０分３５秒）とともに、サムネイル画像３０が印刷された印刷用紙Ｐ１とは別の印刷用紙Ｐ２（第２の印刷媒体）に印刷する（Ｓ２０）。図７において、印刷用紙Ｐ２に印刷された画像３８のうち、領域Ａの画像は、基本画像データ（即ち、１４時間３０分３５秒の時点の静止画データ）の画像であるが、領域Ｂの画像は、修正画像データ（即ち、基本画像データよりも５秒遅れた、１４時間３０分４０秒の時点の静止画データ）から切り出された修正データの画像である。
【００６２】
以上説明した第１実施形態のプリンタ複合機１によれば、次のような効果が得られる。
ユーザーが印刷したい画像である基本画像の一部に不良部分（ユーザーが気に入らない部分）がある場合でも、その不良部分を、基本画像データとは別の修正画像データから抽出された修正データによって置き換えることができるため、不良部分のない良好な画像を印刷することが可能となる。
【００６３】
また、ユーザーが、印刷用紙Ｐ１に一覧表示された、複数の静止画データのサムネイル画像３０を見て、基本画像選択マーク３１と修正位置マーク３２とを印刷用紙Ｐ１に付してから、この印刷用紙Ｐ１をスキャナ４に読み取らせるだけで、基本画像の一部が修正された合成画像３８が別の印刷用紙Ｐ２に自動的に印刷される。従って、合成画像印刷のために、ユーザーが、通常の画像印刷時には行わない特殊な操作をする必要がないため、機器の操作が苦手なユーザーでも、動画中の所望のシーンの合成静止画像を手軽に印刷することができる。
【００６４】
修正データ抽出部２７は、修正位置マーク３２が付されているサムネイル画像３０に対応する静止画データを、修正画像データとして抽出する。そのため、ユーザーは、任意のサムネイル画像３０に修正位置マーク３２を直接付けるだけで、修正画像データ、及び、修正位置の指定を同時に行うことができる。
【００６５】
修正データ抽出部２７は、修正画像データから、そのサムネイル画像３０の、修正位置マーク３２が付されている領域に対応するデータを修正データとして切り出す。従って、ユーザーは、サムネイル画像３０上の、基本画像を修正したい領域に修正位置マーク３２を直接付けることで、修正位置の指定を容易に行うことができる。さらに、修正データ抽出部２７は、修正位置マーク３２により囲まれる領域に対応するデータを修正データとして切り出すことから、修正したい領域のみを修正位置マーク３２で囲むことによって、ユーザーがより細かく修正領域を指示することができる。つまり、修正する必要のない基本画像の領域が、ユーザーの意図に反して、修正画像データで置き換えられてしまうのを防ぐことができる。
【００６６】
さらに、印刷ヘッド２は、印刷用紙Ｐ１にサムネイル画像３０を印刷する際に、同時に、動画データＩＤ３３（動画識別マーク）を印刷する。そのため、基本画像選択マーク３１と修正位置マーク３２が付された印刷用紙Ｐ１がスキャナ４で読み取られたときに、画像データ抽出部２５が、印刷用紙Ｐ１に印刷された動画データＩＤ３３から、基本画像データ及び修正画像データを抽出すべき動画データを認識することができる。つまり、どの動画データから基本画像データ及び修正画像データを抽出するのかを、プリンタ複合機１がユーザーに問い合わせる必要がない。
【００６７】
但し、どの動画データから静止画データ（基本画像データ及び修正画像データ）を抽出するのかを、プリンタ複合機１が他の方法で認識できる場合には、印刷ヘッド２は、サムネイル画像３０とともに動画データＩＤ３３（動画識別マーク）を印刷用紙Ｐ１に印刷する必要は特にない。例えば、基本画像選択マーク３１と修正位置マーク３２とが付された印刷用紙Ｐ１がスキャナ４で読み取られたときに、動画データのファイル名のリストをディスプレイ９に表示して、静止画データを抽出する動画データをユーザーに選択させるようにしてもよい。あるいは、マーク３１，３２が付された印刷用紙Ｐ１がスキャナ４で読み取られたときに、その直前にサムネイル画像印刷の対象となった動画データを、マーク３１，３２に対応する基本画像データ及び修正画像データを抽出すべき動画データであるとみなすことも可能である。
【００６８】
以上説明した第１実施形態に対して、次のような変更を加えることも可能である。
１］前記第１実施形態においては、印刷ヘッド２は、印刷用紙Ｐ１に複数のサムネイル画像３０を印刷する際に、ユーザーが基本画像選択マーク３１を付しやすくするために、複数のサムネイル画像３０にそれぞれ対応した複数のチェックボックス３４を同時に印刷している（図６、図７参照）。しかし、チェックボックス３４の有無にかかわらず、基本画像選択マーク３１が付されている位置から、そのマーク３１により選択されているサムネイル画像３０を認識することは可能である。従って、印刷ヘッド２が複数のサムネイル画像３０とともにチェックボックス３４を印刷する必要は必ずしもない。
【００６９】
このように、印刷用紙Ｐ１にチェックボックス３４が印刷されない場合には、ユーザーは、任意のサムネイル画像３０に直接マーク３１を書き込んだり、あるいは、サムネイル画像３０の周囲の位置にマーク３１を付けたりすればよい。但し、チェックボックス３４が印刷されない場合には、基本画像選択マーク３１と修正位置マーク３２とを、それらの位置情報だけで区別することは困難となる。そこで、画像データ抽出部２５が、基本画像選択マーク３１と修正位置マーク３２とを混同することがないように、これら２種類のマーク３１，３２は、異なった形状で付されることが好ましい。
【００７０】
２］動画データの総時間や静止画データを抽出する時間間隔によっては、１つの動画データから抽出される静止画データの数が多く、これら静止画データに対応するサムネイル画像３０を１枚の印刷用紙Ｐ１に全て印刷しきれない場合もある。このような場合には、１つの動画データのサムネイル画像３０を複数枚の印刷用紙Ｐ１にわたって印刷することになる。
【００７１】
その場合、まず、静止画データ抽出部２２は、動画データから、複数の静止画データを複数のグループに区分して抽出する。そして、印刷制御部２０は、ある静止画データのサムネイル画像３０を何枚目の印刷用紙Ｐ１に印刷すればよいかということを、その静止画データが属するグループから判断し、それに基づいて印刷ヘッド２を制御する。つまり、印刷ヘッド２は、ある１つのグループに属する複数の静止画データのサムネイル画像３０を、１枚の印刷用紙Ｐ１に印刷することになる。
【００７２】
このとき、図８に示すように、印刷ヘッド２が、各グループに属する静止画データのサムネイル画像３０を１枚の印刷用紙Ｐ１に印刷するとともに、さらに、同じ印刷用紙Ｐ１に、そのグループに対応するグループ識別マーク３５を印刷することが好ましい。尚、図８中の “３／６” というグループ識別マーク３５は、サムネイル画像３０が印刷された全６枚の印刷用紙Ｐ１のうち、３枚目の印刷用紙Ｐ１を示している。
【００７３】
この場合、サムネイル画像３０が印刷された複数枚の印刷用紙Ｐ１の何れか１枚に基本画像選択マーク３１及び修正位置マーク３２が付された後、この印刷用紙Ｐ１がスキャナ４で読み取られたときには、画像データ抽出部２５は、スキャナ４で得られた画像データから、マーク３１，３２が付された位置を認識するとともに、グループ識別マーク３５から、基本画像データ及び修正画像データを抽出すべきグループを認識することができる。従って、どのグループから基本画像データ及び修正画像データを抽出すればよいかを、プリンタ複合機１がユーザーに問い合わせる必要がない。
【００７４】
尚、基本画像データ及び修正画像データを抽出すべきグループを、プリンタ複合機１が他の方法で認識できる場合には、印刷ヘッド２が、印刷用紙Ｐ１にサムネイル画像３０とともにグループ識別マーク３５を印刷する必要はない。例えば、マーク３１，３２が付された印刷用紙Ｐ１がスキャナ４で読み取られたときに、ディスプレイ９にメッセージを表示して、何枚目の印刷用紙Ｐ１をスキャナ４で読み込ませたのかを、ユーザーに操作部８から入力させるようにしてもよい。
【００７５】
３］複数のサムネイル画像３０が印刷された印刷用紙Ｐ１に、ユーザーによって複数の修正位置マーク３２が付けられてもよい。例えば、図９においては、印刷用紙Ｐ１に印刷された１２枚のサムネイル画像３０のうち、１４時間３０分３５秒の時点のサムネイル画像３０に対して基本画像選択マーク３１が付されている。さらに、基本画像選択マーク３１が付されたサムネイル画像３０よりも１０秒前の時点のサムネイル画像３０に１つの修正位置マーク３２ａが付されるとともに、５秒後の時点のサムネイル画像３０に２つの修正位置マーク３２ｂ，３２ｃが付されている。
【００７６】
このとき、基本画像抽出部２６は、基本画像選択マーク３１に対応する、１４時間３０分３５秒の時点の静止画データを基本画像データとして抽出する。一方、修正データ抽出部２７は、基本画像データよりも１０秒前の静止画データと５秒後の静止画データをそれぞれ修正画像データとして抽出する。さらに、１０秒前のサムネイル画像３０に付されたマーク３２ａに対応するデータと、５秒後のサムネイル画像に付されたマーク３２ｂ，３２ｃにそれぞれ対応するデータを、修正データとして抽出する。
【００７７】
そして、画像合成部２８は、１つの基本画像データと３つの修正データとを合成して合成画像データを生成し、図１０に示すように、印刷ヘッド２は、その合成画像データの画像を印刷用紙Ｐ２に印刷する。この図１０において、印刷用紙Ｐ２に印刷された合成画像３８のうち、領域Ａの画像は、基本画像データ（１４時間３０分３５秒の時点の静止画データ）の画像である。しかし、領域Ｂの画像は、基本画像データよりも１０秒早い修正画像データ（１４時間３０分２５秒の時点の静止画データ）から切り出された修正データの画像である。また、領域Ｃ，Ｄの画像は、基本画像データよりも５秒遅れた修正画像データ（１４時間３０分４０秒の時点の静止画データ）からそれぞれ切り出された２つの修正データの画像である。
【００７８】
４］前記第１実施形態では、修正データ抽出部２７は、サムネイル画像３０上に直接付された修正位置マーク３２に囲まれた領域に対応するデータを、修正画像データから修正データとして切り出している（図７参照）。しかし、ユーザーにより付された修正位置マーク３２と、修正画像データから修正データが切り取られる領域とが対応してさえいれば、別の修正データ抽出手法を採用することもできる。
【００７９】
例えば、印刷用紙Ｐ１に印刷された各サムネイル画像３０が区画線３６によって複数のブロック領域３７に区画されている場合に（図５参照）、あるサムネイル画像３０の一部領域に修正位置マーク３２が付されたときには、修正データ抽出部２７が、この修正位置マーク３２を含むブロック領域３７（図５では、修正位置マーク３２が付された、サムネイル画像３０の左上の領域）のデータ全体を、修正データとして切り出してもよい。そして、基本画像データと修正データが合成されて、図１１に示すように、その合成画像３８が印刷用紙Ｐ２に印刷されたときには、合成画像３８のうちの領域Ａは基本画像データの画像となり、修正位置マーク３２に対応する合成画像３８の左上のブロック領域Ｂは、修正画像データから切り出された修正データの画像となる。尚、この場合、修正位置マーク３２は、所望の１又は複数のブロック領域３７を指示するように、それらのブロック領域３７内に付されていればよいことから、修正位置マーク３２の形状は問わない。つまり、前述した第１実施形態のように、修正位置マーク３２が、サムネイル画像３０の一部領域を囲むような形状に形成される必要は特にない。
【００８０】
さらに、サムネイル画像３０上に直接修正位置マーク３２が付される必要も必ずしもない。例えば、印刷ヘッド２が、各サムネイル画像３０の周囲に、そのサムネイル画像３０中の領域と対応付けられた複数の領域選択用チェック欄を印刷し、それら複数の領域選択用チェック欄に修正位置マーク３２が付されることによって、基本画像の修正領域が指定されてもよい。
【００８１】
５］前記第１実施形態では、ユーザーにより基本画像選択マーク３１が付されるサムネイル画像３０と、修正位置マーク３２が付されるサムネイル画像３０が異なっているが、図１２に示すように、基本画像選択マーク３１と修正位置マーク３２が同じサムネイル画像３０に対して付されてもよい。
【００８２】
この場合、修正データ抽出部２７は、修正位置マーク３２が、基本画像中の修正すべき領域の位置を単に示しているにすぎないと判断する。従って、修正データ抽出部２７は、基本画像選択マーク３１と修正位置マーク３２とが付されたサムネイル画像３０に対応する静止画データとは、別の静止画データを修正画像データとして抽出する。そして、この修正画像データの修正位置マーク３２に対応するデータを修正データとして切り出す。
【００８３】
但し、この形態では、前述した第１実施形態と異なり、修正位置マーク３２によって選択すべき修正画像データが指示されているわけではないから、別の手法で修正画像データを選択する必要がある。そこで、例えば、修正データ抽出部２７は、基本画像の修正に用いる修正画像データとして、基本画像データに対して時間的に前後に位置する静止画データを自動的に採用してもよい。即ち、図１２のように、基本画像データとして、１４時間３０分３５秒の時点の静止画データが抽出されるときに、この時点よりも静止画抽出時間間隔Ｔ（Ｔ＝５ｓ）だけ早い、１４時間３０分３０秒の静止画データや、時間間隔Ｔだけ遅い、１４時間３０分４０秒の静止画データを、修正画像データとして自動的に抽出してもよい。
【００８４】
あるいは、ユーザーによって、修正位置マーク３２とは別の、修正画像選択マークが印刷用紙Ｐ２の任意のサムネイル画像３０に対して付される場合には、この修正画像選択マークが付されたサムネイル画像３０に対応する静止画データを、修正画像データとして採用してもよい。
【００８５】
＜第２実施形態＞
次に、本発明の第２実施形態について説明する。図１３は、第２実施形態のプリンタ複合機４１の概略的な電気的構成を示すブロック図である。
【００８６】
この第２実施形態のプリンタ複合機４１は、動画データから抽出した静止画データのサムネイル画像３０を印刷用紙Ｐ１に一覧表示し、その後、ユーザーにより選択された基本画像と修正画像の一部とを合成した合成画像３８を別の印刷用紙Ｐ２に印刷するという基本構成については、前述した第１実施形態とほぼ同じである。そこで、以下の説明においては、前記第１実施形態とは相違する構成を中心に説明するものとし、前記第１実施形態と同様の構成については適宜その説明を省略する。
【００８７】
ユーザーが、印刷用紙Ｐ１に印刷されたサムネイル画像３０に基本画像選択マーク３１と修正位置マーク３２とを付け、基本画像と修正データとが合成された合成画像が印刷用紙Ｐ２に印刷されたときに、その合成画像が、ユーザーが予想しているものとは少し異なるため、別の合成画像を印刷したいと考えることもあり得る。しかし、そのような場合に、ユーザーが、再度、基本画像や修正画像、及び、基本画像の修正位置を選択するのは手間がかかる。
【００８８】
そこで、この第２実施形態のプリンタ複合機４１においては、２以上の修正画像データを抽出し、それらの修正画像データからそれぞれ修正データを切り出す。また、基本画像データと、修正画像データから切り出された２以上の修正データとをそれぞれ合成して、２以上の印刷候補データを生成し、これら印刷候補データのサムネイル画像６０を別の印刷用紙Ｐ３（第３の印刷媒体）に印刷する（図１７参照）。つまり、ユーザーは、印刷候補となる複数の合成画像から、最良と思われる１つの印刷画像を選択することができるようになる。
【００８９】
そして、この印刷用紙Ｐ３は、ユーザーにより、任意の印刷候補データのサムネイル画像６０に対して所定の印刷選択マーク６１が付された状態で（図１７参照）、スキャナ４に読み取られる。ここで、図１３に示すように、第２実施形態のプリンタ複合機４１の制御装置４５は、印刷画像識別部４６をさらに備えており、この印刷画像識別部４６により、印刷用紙Ｐ３に付された印刷選択マーク６１に対応する印刷候補データが識別される。そして、印刷ヘッド２は、印刷画像識別部４６で識別された印刷候補データの画像３８を、印刷用紙Ｐ２に印刷する。
【００９０】
この第２実施形態における、サムネイル画像印刷、及び、合成画像印刷を含む一連の静止画像印刷処理について、図１４、図１５のフローチャートと図１６〜図１８を参照して、より具体的に説明する。
【００９１】
所定の動画データについてサムネイル画像印刷を要求する指令が、ユーザーによって操作部８から入力されると（Ｓ３０：Ｙｅｓ）、静止画データ抽出部２２は、その動画データから複数の静止画データを抽出し（Ｓ３１）、印刷ヘッド２が、複数の静止画データにそれぞれ対応する複数のサムネイル画像３０を印刷用紙Ｐ１に印刷する（Ｓ３２）。また、印刷ヘッド２は、複数のサムネイル画像３０にそれぞれ対応する複数のチェックボックス３４も印刷用紙Ｐ１に印刷する。
【００９２】
その後、図１６に示すように、ユーザーによって、１つのサムネイル画像３０に対応するチェックボックス３４に基本画像選択マーク３１が付されるとともに、マーク３１が付されたサムネイル画像３０とは別のサムネイル画像３０に修正位置マーク３２が付される。このとき、マーク３１が付されたサムネイル画像３０よりも時間的に前後に位置する、３つのサムネイル画像３０の同じ位置（左上の位置）に、それぞれ修正位置マーク３２（３２ｄ〜３２ｆ）が付される。
【００９３】
そして、この印刷用紙Ｐ１がスキャナ４で読み取られる（Ｓ３３：Ｙｅｓ）と、画像データ抽出部２５により、スキャナ４で得られた画像データから基本画像選択マーク３１と修正位置マーク３２が検出される。但し、画像データ抽出部２５がマーク３１，３２を検出することができなかった場合には（Ｓ３４：Ｎｏ）、制御装置５は、印刷用紙Ｐ１にマーク３１，３２が付されていない旨を通知するエラーメッセージをディスプレイ９に表示させる（Ｓ３５）。
【００９４】
画像データ抽出部２５がマーク３１，３２を検出した場合には（Ｓ３４：Ｙｅｓ）、基本画像抽出部２６が基本画像選択マーク３１に対応する基本画像データを抽出する（Ｓ３６）。また、修正データ抽出部２７が、３つの修正位置マーク３２ｄ〜３２ｆにそれぞれ対応する修正画像データを抽出する（Ｓ３７）。さらに、修正データ抽出部２７は、抽出した３つの修正画像データから、修正位置マーク３２が付された位置（左上の位置）に対応するデータを修正データとしてそれぞれ切り出す（Ｓ３８）。
【００９５】
次に、画像合成部２８は、基本画像データと、３つの修正画像データからそれぞれ切り出された３つの修正データを合成して、３つの印刷候補データを生成する（Ｓ３９）。同時に、画像合成部２８は、これら３つの印刷候補データにそれぞれ対応する３つのサムネイル画像データを生成する。ここで生成された３つの印刷候補データとそれらのサムネイル画像データは、静止画データ記憶部２４に記憶される。
【００９６】
そして、図１７に示すように、印刷ヘッド２が、画像合成部２８で生成された、３つの印刷候補データのサムネイル画像６０（印刷候補サムネイル画像）を印刷用紙Ｐ３に印刷する（Ｓ４０：第３印刷ステップ）。このとき、印刷ヘッド２は、３つの印刷候補サムネイル画像６０とともに、３つの印刷候補サムネイル画像６０の元となる基本画像データと修正画像データの時間と、３つの印刷候補サムネイル画像６０にそれぞれ対応するチェックボックス６４を、印刷用紙Ｐ３に印刷する。
【００９７】
その後、図１７に示すように、ユーザーによって、最終的に印刷したい合成画像のサムネイル画像６０のチェックボックス６４に、所定の印刷選択マーク６１が付される。そして、この印刷用紙Ｐ３がスキャナ４で読み取られる（Ｓ４１：Ｙｅｓ）と、印刷画像識別部４６により、スキャナ４で得られた画像データから印刷選択マーク６１が検出される。但し、印刷画像識別部４６がマーク６１を検出することができなかった場合には（Ｓ４２：Ｎｏ）、制御装置５は、印刷用紙Ｐ１にマーク６１が付されていない旨を通知するエラーメッセージをディスプレイ９に表示させる（Ｓ４３）。
【００９８】
印刷画像識別部４６が印刷選択マーク６１を検出した場合には（Ｓ４２：Ｙｅｓ）、印刷画像識別部４６は、３つの印刷候補データのうち、印刷選択マーク６１に対応する印刷候補サムネイル画像６０を識別し、このサムネイル画像６０に対応する印刷候補データを、静止画データ記憶部２４から抽出する（Ｓ４４）。すると、図１８に示すように、印刷ヘッド２は、抽出された印刷候補データ（合成画像データ）の画像３８を、印刷用紙Ｐ２に印刷する。図１８において、印刷用紙Ｐ２に印刷された合成画像３８の領域Ａは、１４時間３０分３５秒の時点の静止画データ（基本画像データ）の画像であり、領域Ｂは、１４時間３０分４０秒の時点の静止画データ（修正画像データ）から切り出された修正データの画像である。
【００９９】
以上説明した第２実施形態のプリンタ複合機１によれば、複数の修正画像データを抽出し、これらの修正画像データから切り出された修正データから複数の印刷候補データを生成して、これら印刷候補データのサムネイル画像６０を印刷用紙Ｐ３に印刷する。そのため、印刷用紙Ｐ３に印刷された複数の印刷候補データ（合成画像データ）のサムネイル画像６０から、最も気に入った１つをユーザーが選択することで、より良好な画像を印刷用紙Ｐ２に印刷することができる。
【０１００】
尚、前述した第２実施形態では、ユーザーにより、印刷用紙Ｐ１に印刷された複数のサムネイル画像３０に複数の修正位置マーク３２がそれぞれ付されることによって（図１６参照）、マーク３２が付された複数のサムネイル画像３０にそれぞれ対応する複数の静止画データが、修正画像データとして抽出されるようになっている。しかし、修正画像データは、これとは別の手法によって抽出されてもよい。
【０１０１】
例えば、図１９に示すように、印刷用紙Ｐ１の１つのサムネイル画像３０に対して、基本画像選択マーク３１と修正位置マーク３２とが付されている。また、これらのマーク３１，３２とは別に、修正画像データを指示するための修正画像選択マーク３９ａ，３９ｂが、基本画像選択マーク３１が付されているサムネイル画像３０とは、別の２つのサムネイル画像３０のチェックボックス３４にそれぞれ付されている。
【０１０２】
このように、１つのサムネイル画像３０に対して、基本画像選択マーク３１と修正位置マーク３２とが付されている場合には、修正データ抽出部２７は、修正位置マーク３２が、基本画像中の修正すべき領域の位置を単に示しているにすぎないと判断する。
【０１０３】
そして、修正データ抽出部２７は、修正画像選択マーク３９ａ，３９ｂから抽出すべき修正画像データを認識する。例えば、図１９のように、２つの修正画像選択マーク３９ａ，３９ｂが、時間的に離れた２つのサムネイル画像３０に対してそれぞれ付されている場合には、マーク３９ａ，３９ｂが付された２つのサムネイル画像３０にそれぞれ対応する２つの静止画データと、時間的にそれら２つの静止画データの間にある静止画データの、複数の静止画データを修正画像データとして抽出する。あるいは、２つの修正画像選択マーク３９ａ，３９ｂが付された２つのサムネイル画像３０に対応する２つの静止画データのみを、修正画像データとして抽出してもよい。尚、図１９のように、修正画像選択マーク３９ａ，３９ｂがチェックボックス３４に付される場合には、修正画像選択マーク３９ａ，３９ｂと基本画像選択マーク３１とが混同されることがないように、これら２種類のマークが異なる形状で付されることが好ましい。
【０１０４】
あるいは、修正データ抽出部２７は、基本画像の修正に用いる修正画像データとして、基本画像データに対して時間的に前後に位置する複数の静止画データを自動的に採用してもよい。
【０１０５】
＜第３実施形態＞
次に、本発明の第３実施形態について説明する。前述した第１、第２実施形態においては、プリンタ複合機の制御装置が静止画像印刷処理の全てを行っている。しかし、この静止画像印刷処理は、プリンタ複合機単体で全て実行される必要は特にない。即ち、プリンタ複合機と、このプリンタ複合機を制御する外部制御手段とを含む、プリントシステム全体で実現されてもよい。
【０１０６】
図２０、図２１に示すように、第３実施形態のプリントシステム１００は、印刷ヘッド２（印刷手段）及びスキャナ４（画像読取手段）を有するプリンタ複合機７１と、このプリンタ複合機７１を制御するパーソナルコンピュータ７２（ＰＣ：制御手段）とを備えている。
【０１０７】
プリンタ複合機７１は、印刷ヘッド２及びスキャナ４の他、用紙搬送機構３、操作部８、ディスプレイ９、及び、これらを制御する制御装置７５等を有するが、このプリンタ複合機７１の主要構成は、前述した第１実施形態とほぼ同様であるので、その説明は省略する。また、ＰＣ７２は、ＣＰＵ、ＲＯＭ、ＲＡＭ、ハードディスク等の大容量記憶装置などを備えている。大容量記憶装置には、ＣＰＵによって実行される種々のアプリケーションプログラムや、動画データ等の各種データが格納されている。
【０１０８】
そして、この第３実施形態においては、前述した第１実施形態においてはプリンタ複合機の制御装置に設けられていた、静止画データ抽出部８２、動画データ記憶部８３、静止画データ記憶部８４、画像データ抽出部８５（基本画像抽出部８６及び修正データ抽出部８７）、画像合成部８８がＰＣ７２に設けられており、これら静止画データ抽出部８２、動画データ記憶部８３、静止画データ記憶部８４、画像データ抽出部８５、及び、画像合成部８８は、ＰＣ５２のＣＰＵ、ＲＯＭ、ＲＡＭ、及び、大容量記憶装置等により構成されている。
【０１０９】
言い換えれば、ＰＣ７２の大容量記憶装置に格納されているプログラムが、基本画像選択マーク３１に対応する基本画像データを抽出する基本画像抽出ステップ（図３のＳ１６）、修正位置マーク３２に対応する修正画像データを抽出する修正画像抽出ステップ（Ｓ１７）、修正画像データから修正データを切り出す修正データ抽出ステップ（Ｓ１８）、及び、基本画像データと修正データとを合成して合成画像データを生成する画像合成ステップ（Ｓ１９）等を、ＰＣ７２のＣＰＵに実行させる。
【０１１０】
この第３実施形態の構成によれば、前記第１実施形態に対して、基本画像データや修正データの抽出や画像合成等の一部の処理をＰＣ７２側で行うという違いはあるものの、その結果、実現される作用・効果はほぼ同じである。
【０１１１】
また、静止画データ抽出部、動画データ記憶部、静止画データ記憶部、画像データ抽出部、及び、画像合成部の全てがＰＣ側に設けられている必要はなく、これらの一部のみがＰＣに設けられ、残りは、前記第１実施形態と同様に、プリンタ複合機の制御装置に設けられていてもよい。
【０１１２】
以上、本発明の実施形態として、動画データから抽出された複数の静止画データの画像を印刷する場合に本発明を適用した場合について説明した。しかし、印刷される複数の静止画データは、時系列的に並べられるものであれば、動画データから抽出されるものに限られない。例えば、デジタルカメラ等で連続して撮影されることによって得られた複数の静止画データが、撮影された時間に応じて記憶手段に記憶されている場合においても、本発明を適用することが可能である。
【０１１３】
なお、上述した本発明の実施形態において、サムネイル画像印刷処理（Ｓ１２）においてサムネイル画像を印刷するときは、その静止画データの時間も併せて印刷していたが、これに替えてフレーム番号を印刷するものであってもよい。そして、ユーザーによる画像選択や選択された画像の装置側における認識が、フレーム番号に基づいて行われてもよい。
【図面の簡単な説明】
【０１１４】
【図１】本発明の実施形態に係るプリンタ複合機を概略的に示す外観図である。
【図２】プリンタ複合機の電気的構成を概略的に示すブロック図である。
【図３】静止画像印刷処理のフローチャートである。
【図４】静止画データの抽出を概念的に示す図である。
【図５】印刷用紙（第１の印刷媒体）に複数のサムネイル画像が印刷された状態を示す図である。
【図６】サムネイル画像が印刷された印刷用紙に、基本画像選択マークと修正位置マークが付された状態を示す図である。
【図７】印刷用紙（第２の印刷媒体）に合成画像が印刷された状態を示す図である。
【図８】第１実施形態の変更形態において、印刷用紙に基本画像選択マークと修正位置マークが付された状態を示す図である。
【図９】第１実施形態の別の変更形態において、印刷用紙に基本画像選択マークと修正位置マークが付された状態を示す図である。
【図１０】図９に対応して、印刷用紙に合成画像が印刷された状態を示す図である。
【図１１】第１実施形態のさらに別の変更形態において、印刷用紙に合成画像が印刷された状態を示す図である。
【図１２】第１実施形態のさらに別の変更形態において、印刷用紙に基本画像選択マークと修正位置マークが付された状態を示す図である。
【図１３】第２実施形態のプリンタ複合機の電気的構成を概略的に示すブロック図である。
【図１４】静止画像印刷処理の前半部のフローチャートである。
【図１５】静止画像印刷処理の後半部のフローチャートである。
【図１６】印刷用紙（第１の印刷媒体）に基本画像選択マークと修正位置マークが付された状態を示す図である。
【図１７】３つの印刷候補サムネイル画像が印刷された印刷用紙（第３の印刷媒体）に、印刷選択マークが付された状態を示す図である。
【図１８】印刷用紙（第２の印刷媒体）に合成画像が印刷された状態を示す図である。
【図１９】第２実施形態の変更形態において、印刷用紙に基本画像選択マークと修正位置マークが付された状態を示す図である。
【図２０】第３実施形態に係るプリントシステムの概略構成図である。
【図２１】第３実施形態のプリントシステムの電気的構成を概略的に示すブロック図である。
【符号の説明】
【０１１５】
１  プリンタ複合機
２  印刷ヘッド
４  スキャナ
２４  静止画データ記憶部
２５  画像データ抽出部
２６  基本画像抽出部
２７  修正データ抽出部
２８  画像合成部
３０  サムネイル画像
３１  基本画像選択マーク
３２  修正位置マーク
３３  動画データＩＤ（動画識別マーク）
３５  グループ識別マーク
３６  区画線
３７  ブロック領域
３８  合成画像
４１  プリンタ複合機
４６  印刷画像識別部
６０  印刷候補サムネイル画像
６１  印刷選択マーク
７１  プリンタ複合機
７２  パーソナルコンピュータ（制御手段）
８４  静止画データ記憶部
８５  画像データ抽出部
８６  基本画像抽出部
８７  修正データ抽出部
８８  画像合成部
１００  プリントシステム
Ｐ１  印刷用紙（第１の印刷媒体）
Ｐ２  印刷用紙（第２の印刷媒体）
Ｐ３  印刷用紙（第３の印刷媒体）
【図１】
2008236456.tif 000003
【図２】
2008236456.tif 000004
【図３】
2008236456.tif 000005
【図４】
2008236456.tif 000006
【図５】
2008236456.tif 000007
【図６】
2008236456.tif 000008
【図７】
2008236456.tif 000009
【図８】
2008236456.tif 000010
【図９】
2008236456.tif 000011
【図１０】
2008236456.tif 000012
【図１１】
2008236456.tif 000013
【図１２】
2008236456.tif 000014
【図１３】
2008236456.tif 000015
【図１４】
2008236456.tif 000016
【図１５】
2008236456.tif 000017
【図１６】
2008236456.tif 000018
【図１７】
2008236456.tif 000019
【図１８】
2008236456.tif 000020
【図１９】
2008236456.tif 000021
【図２０】
2008236456.tif 000022
【図２１】
2008236456.tif 000023